(57)【特許請求の範囲】
【請求項１】
吐出口および吸引口が設けられた槽内突出部を有するアダプター本体の前記槽内突出部を覆う態様に着脱自在に取り付けられる浴槽用給湯口アダプターのカバー部材であって、
前記吐出口に対応して設けられ、かつ前記アダプター本体から前記吐出口を介して吐出されるお湯を流通させて浴槽内に吐出する吐出流路と、
前記吸引口に対応して設けられ、かつ浴槽内のお湯を流通させて前記吸引口を介して前記アダプター本体に吸引させる吸引流路とを備え、
前記吐出流路および前記吸引流路の双方の流路上に、お湯が内部を流通する発電室が設けられ、
前記発電室に、圧電素子を含む圧電素子板が設けられ、
前記発電室の内部を流通するお湯に基づき前記圧電素子板の圧電素子が作動し、電力が発生するようにしたことを特徴とする浴槽用給湯口アダプターのカバー部材。
【請求項２】
前記発電室に、その内部を流通するお湯によって可動する可動体が設けられ、
可動する前記可動体が前記圧電素子板に衝突することによって圧電素子が作動するようにした請求項１に記載の浴槽用給湯口アダプターのカバー部材。
【請求項３】
前記可動体は、流通するお湯によって回転する水車によって構成され、
前記圧電素子板は、端部が揺動可能に前記発電室に取り付けられた揺動板として構成され、
回転する前記水車の各羽根が前記揺動板の端部に順次衝突して、前記揺動板が揺動することによって圧電素子が作動するようになっている請求項２に記載の浴槽用給湯口アダプターのカバー部材。
【請求項４】
前記発電室に、その内部を流通するお湯が前記水車に向かうように水流を制御する水流制御板が設けられる請求項３に記載の浴槽用給湯口アダプターのカバー部材。
【請求項５】
前記圧電素子板は、端部が揺動可能に取り付けられた揺動板として構成され、
前記発電室の内部を流通するお湯に従って、前記揺動板の端部が揺動することによって圧電素子が作動するようにした請求項１に記載の浴槽用給湯口アダプターのカバー部材。
【請求項６】
前記揺動板の揺動端部に錘体が取り付けられる請求項５に記載の浴槽用給湯口アダプターのカバー部材。
【請求項７】
前記発電室に、その内部を流通するお湯を撹乱するための水流撹乱用突起が設けられる請求項５または６に記載の浴槽用給湯口アダプターのカバー部材。
【請求項８】
前記発電室に前記揺動板が複数設けられる請求項５〜７のいずれか１項に記載の浴槽用給湯口アダプターのカバー部材。
【請求項９】
前記槽内突出部の外周に配置されるリング状の外周部材と、
前記外周部材の前面側を閉塞する前面板とを備え、
前記槽内突出部の外周側面に前記吐出口および前記吸引口が設けられるとともに、
前記外周部材に前記発電室が設けられる請求項１〜８のいずれか１項に記載の浴槽用給湯口アダプターのカバー部材。
【請求項１０】
浴槽内側に配置される発光手段を備え、
前記発電室で発生する電力によって、前記発光手段を発光させるようにした請求項１〜９のいずれか１項に記載の浴槽用給湯口アダプターのカバー部材。
【請求項１１】
前記発光手段がＬＥＤによって構成される請求項１０に記載の浴槽用給湯口アダプターのカバー部材。
【請求項１２】
吐出口および吸引口が設けられた槽内突出部を有するアダプター本体と、前記槽内突出部を覆う態様に着脱自在に取り付けられ、かつ前記吐出口および吸引口に対応して吐出流路および吸引流路を有するカバー部材とを備え、浴槽外からのお湯が前記吐出口および前記吐出流路を通って浴槽内に吐出されるとともに、浴槽内のお湯が前記吸引流路および前記吸引口を通って浴槽外に送出されるようにした給湯口アダプターであって、
前記吐出流路および前記吸引流路の双方の流路上に、お湯が内部を流通する発電室が設けられ、
前記発電室に、圧電素子を含む圧電素子板が設けられ、
前記発電室の内部を流通するお湯に基づき前記圧電素子板の圧電素子が作動し、電力が発生するようにしたことを特徴とする浴槽用給湯口アダプター。
【発明の詳細な説明】
【技術分野】
【０００１】
この発明は、浴槽の壁部に給湯用として取り付けられる浴槽用給湯口アダプターおよびそのカバー部材に関する。
【背景技術】
【０００２】
浴槽の側壁に貫通状態に取り付けられる給湯口アダプターにおいて、追い焚き機能付きのものでは、浴槽内に臨むように吸引口および吐出口が設けられている。そして、追い焚き時には、浴槽内のお湯が吸引口から吸引されて、給湯口アダプター内部を通って室外の給湯器に戻されてそこで加熱される。さらに給湯機で加熱されたお湯が、給湯口アダプターに供給されて、アダプター内部を通って吐出口から浴槽内に吐出されるようになっている。
【０００３】
ところで、近年になって、給湯口アダプターの内部に発電機を組み込んで、自己発電により照明器等を発光させるようにした浴槽給湯システムが提案されている。
【０００４】
例えば特許文献１に示す浴槽給湯システムは、給湯口アダプターに照明器が設けられ、追い焚き時等に照明器を発光させて、表示効果を高めるようにしている。
【０００５】
特許文献２に示す浴槽給湯システムは、浴槽壁に、給湯口アダプターに対向させるように照明器が設けられ、給湯口から噴射されるお湯を、照明器で照明することにより、表示効果を高めるようしている。
【０００６】
特許文献３，４に示す浴槽給湯システムは、水槽内のお湯を給湯機に送る戻り流路内に、紫外線を照射する照明器を設けておき、戻り流路内を流通するお湯に照明器から紫外線を照射して、お湯を殺菌浄化するようにしている。
【０００７】
これらの給湯システムはいずれも、発電機を用いた自己発電型のものであり、お湯の循環経路上に、水車（タービン）を設置しておき、水流で水車を回転させて、その水車に連結した発電機本体を駆動させることにより、電力を発生させるようにしている。
【先行技術文献】
【特許文献】
【０００８】
【特許文献１】特開２００４−２１５９９４号公報
【特許文献２】特開２００１−２２７０１１号公報
【特許文献３】特開２００２−３３６１４９号公報
【特許文献４】特開２００２−３４０４１６号公報
【発明の概要】
【発明が解決しようとする課題】
【０００９】
しかしながら、上記特許文献１〜４に示す従来の給湯システムにおいてはいずれも、構造が複雑でサイズも大きい発電機によって発電するものであるため、構造の複雑化および大型化を来すという課題が発生する。
【００１０】
この発明は、上記の課題に鑑みてなされたものであり、構造の簡素化および小型化を図りつつ、自己発電できる浴槽用給湯口アダプターおよびそのカバー部材を提供することを目的とする。
【課題を解決するための手段】
【００１１】
上記課題を解決するため、本発明は、以下の手段を備えるものである。
【００１２】
［１］吐出口および吸引口が設けられた槽内突出部を有するアダプター本体の前記槽内突出部を覆う態様に着脱自在に取り付けられる浴槽用給湯口アダプターのカバー部材であって、
前記吐出口に対応して設けられ、かつ前記アダプター本体から前記吐出口を介して吐出されるお湯を流通させて浴槽内に吐出する吐出流路と、
前記吸引口に対応して設けられ、かつ浴槽内のお湯を流通させて前記吸引口を介して前記アダプター本体に吸引させる吸引流路とを備え、
前記吐出流路および前記吸引流路のうち少なくともいずれか一方の流路上に、お湯が内部を流通する発電室が設けられ、
前記発電室に、圧電素子を含む圧電素子板が設けられ、
前記発電室の内部を流通するお湯に基づき前記圧電素子板の圧電素子が作動し、電力が発生するようにしたことを特徴とする浴槽用給湯口アダプターのカバー部材。
【００１３】
［２］前記発電室に、その内部を流通するお湯によって可動する可動体が設けられ、
可動する前記可動体が前記圧電素子板に衝突することによって圧電素子が作動するようにした前項１に記載の浴槽用給湯口アダプターのカバー部材。
【００１４】
［３］前記可動体は、流通するお湯によって回転する水車によって構成され、
前記圧電素子板は、端部が揺動可能に前記発電室に取り付けられた揺動板として構成され、
回転する前記水車の各羽根が前記揺動板の端部に順次衝突して、前記揺動板が揺動することによって圧電素子が作動するようになっている前項２に記載の浴槽用給湯口アダプターのカバー部材。
【００１５】
［４］前記発電室に、その内部を流通するお湯が前記水車に向かうように水流を制御する水流制御板が設けられる前項３に記載の浴槽用給湯口アダプターのカバー部材。
【００１６】
［５］前記圧電素子板は、端部が揺動可能に取り付けられた揺動板として構成され、
前記発電室の内部を流通するお湯に従って、前記揺動板の端部が揺動することによって圧電素子が作動するようにした前項１に記載の浴槽用給湯口アダプターのカバー部材。
【００１７】
［６］前記揺動板の揺動端部に錘体が取り付けられる前項５に記載の浴槽用給湯口アダプターのカバー部材。
【００１８】
［７］前記発電室に、その内部を流通するお湯を撹乱するための水流撹乱用突起が設けられる前項５または６に記載の浴槽用給湯口アダプターのカバー部材。
【００１９】
［８］前記発電室に前記揺動板が複数設けられる前項５〜７のいずれか１項に記載の浴槽用給湯口アダプターのカバー部材。
【００２０】
［９］前記槽内突出部の外周に配置されるリング状の外周部材と、
前記外周部材の前面側を閉塞する前面板とを備え、
前記槽内突出部の外周側面に前記吐出口および前記吸引口が設けられるとともに、
前記外周部材に前記発電室が設けられる前項１〜８のいずれか１項に記載の浴槽用給湯口アダプターのカバー部材。
【００２１】
［１０］浴槽内側に配置される発光手段を備え、
前記発電室で発生する電力によって、前記発光手段を発光させるようにした前項１〜９のいずれか１項に記載の浴槽用給湯口アダプターのカバー部材。
【００２２】
［１１］前記発光手段がＬＥＤによって構成される前項１０に記載の浴槽用給湯口アダプターのカバー部材。
【００２３】
［１２］前記発電室は、前記吐出流路および吸引流路の双方に設けられる前項１〜１１のいずれか１項に記載の浴槽用給湯口アダプターのカバー部材。
【００２４】
［１３］吐出口が設けられた槽内突出部を有するアダプター本体の前記槽内突出部を覆う態様に着脱自在に取り付けられる浴槽用給湯口アダプターのカバー部材であって、
前記吐出口に対応して設けられ、かつ前記アダプター本体から前記吐出口を介して吐出されるお湯を流通させて浴槽内に吐出する吐出流路を備え、
前記吐出流路上に、お湯が内部を流通する発電室が設けられ、
前記発電室に、圧電素子を含む圧電素子板が設けられ、
前記発電室の内部を流通するお湯に基づき前記圧電素子板の圧電素子が作動し、電力が発生するようにしたことを特徴とする浴槽用給湯口アダプターのカバー部材。
【００２５】
［１４］吐出口および吸引口が設けられた槽内突出部を有するアダプター本体と、前記槽内突出部を覆う態様に着脱自在に取り付けられ、かつ前記吐出口および吸引口に対応して吐出流路および吸引流路を有するカバー部材とを備え、浴槽外からのお湯が前記吐出口および前記吐出流路を通って浴槽内に吐出されるとともに、浴槽内のお湯が前記吸引流路および前記吸引口を通って浴槽外に送出されるようにした給湯口アダプターであって、
前記吐出流路および前記吸引流路のうち少なくともいずれか一方の流路上に、お湯が内部を流通する発電室が設けられ、
前記発電室に、圧電素子を含む圧電素子板が設けられ、
前記発電室の内部を流通するお湯に基づき前記圧電素子板の圧電素子が作動し、電力が発生するようにしたことを特徴とする浴槽用給湯口アダプター。
【００２６】
［１５］吐出口が設けられた槽内突出部を有するアダプター本体と、前記槽内突出部を覆う態様に着脱自在に取り付けられ、かつ前記吐出口に対応して吐出流路を有するカバー部材とを備え、浴槽外からのお湯が前記吐出口および前記吐出流路を通って浴槽内に吐出されるようにした給湯口アダプターであって、
前記吐出流路上に、お湯が内部を流通する発電室が設けられ、
前記発電室に、圧電素子を含む圧電素子板が設けられ、
前記発電室の内部を流通するお湯に基づき前記圧電素子板の圧電素子が作動し、電力が発生するようにしたことを特徴とする浴槽用給湯口アダプター。
【発明の効果】
【００２７】
発明［１］の浴槽用給湯口アダプターのカバー部材によれば、圧電素子を利用して自己発電するものであるため、発電機等を用いる場合と比較して、構造の簡素化および小型化を図ることができる。
【００２８】
なお本発明のカバー部材は、既存の給湯口アダプターのアダプター本体に取り付けて使用することもできる。これにより、既存の給湯口アダプターを有効に利用することができる。
【００２９】
発明［２］〜［４］の浴槽用給湯口アダプターのカバー部材によれば、圧電素子を効率良く作動させることができ、十分な発電量を確実に確保することができる。
【００３０】
発明［５］〜［８］の浴槽用給湯口アダプターのカバー部材によれば、圧電素子を効率良く作動させることができ、十分な発電量をより確実に確保することができる。
【００３１】
発明［９］の浴槽用給湯口アダプターのカバー部材によれば、発電室を外周部材に確実に形成することができる。
【００３２】
発明［１０］［１１］の浴槽用給湯口アダプターのカバー部材によれば、発光手段が発光するため、浴槽内に光による効果的な演出表示を行うことができる。
【００３３】
発明［１２］の浴槽用給湯口アダプターのカバー部材によれば、２つの発電室で発電できるため、十分な発電量をより一層確実に確保することができる。
【００３４】
発明［１３］の浴槽用給湯口アダプターのカバー部材によれば、上記と同様に、構造の簡素化および小型化を図ることができる。
【００３５】
発明［１４］［１５］の浴槽用給湯口アダプターによれば、上記と同様に、構造の簡素化および小型化を図ることができる。
【図面の簡単な説明】
【００３６】
【図１】図１はこの発明の第１実施形態である浴槽用給湯口アダプターを示す側面断面図である。
【図２】図２は第１実施形態の給湯口アダプターを分解して示す斜視図である。
【図３】図３は第１実施形態の給湯口アダプターにおけるカバー部材付きの流路仕切部材を示す側面断面図である。
【図４】図４は第１実施形態のカバー部材付き流路仕切部材を分解して示す側面断面図である。
【図５】図５は第１実施形態のカバー部材付き流路仕切部材をその前面板を取り外した状態で示す正面図である。
【図６】図６は第１実施形態のカバー部材を分解して示す斜視図である。
【図７】図７は第１実施形態のカバー部材をその前面板を取り外した状態で示す斜視図である。
【図８】図８は第１実施形態のカバー部材における発電室周辺を拡大して示す正面図である。
【図９】図９は第１実施形態の流路仕切部材を分解して示す斜視図である。
【図１０】図１０はこの発明の第２実施形態である浴槽用給湯口アダプターにおけるカバー部材付き流路仕切部材を示す側面断面図である。
【図１１】図１１は第２実施形態のカバー部材付き流路仕切部材を分解して示す側面断面図である。
【図１２】図１２は第２実施形態のカバー部材付き流路仕切部材を前面板を取り外した状態で示す正面図である。
【図１３】図１３は第２実施形態のカバー部材を前面板を取り外した状態で示す斜視図である。
【図１４】図１４は第２実施形態のカバー部材を分解して示す斜視図である。
【図１５】図１５は第２実施形態のカバー部材における発電室周辺を拡大して示す正面図である。
【発明を実施するための形態】
【００３７】
＜第１実施形態＞
図１，２はこの発明の第１実施形態である浴槽用給湯口アダプターを示す図である。両図に示すように、この第１実施形態の給湯口アダプターは、浴槽の側壁Ｗに設けられた取付孔Ｈに組み付けられる。この給湯口アダプターは、室外の給湯機から供給されたお湯を浴槽内に供給する湯はり処理の他に、浴槽内のお湯（水）を吸い込んで室外の給湯機に送り、そこで加熱して、適当な温度に加熱されたお湯を浴槽内に戻す追い焚き処理を行えるものである。
【００３８】
なおこの給湯口アダプターは、以下に詳述するように、このアダプターが備える２つの外管接続部１ａ，１ｂに対して、給湯機につながる往き管および戻り管のどちらを接続しても使用可能な、いわゆる無極性タイプのものである。さらにアダプター内部に、逆流防止弁等の水の流動を制御するための流動制御弁が設けられない弁無しタイプのものである。
【００３９】
本第１実施形態の給湯口アダプターは、槽外取付部材１と、雄ねじ部材２と、流路仕切部材３と、カバー部材９とを基本的な構成要素として備えている。なお、本明細書においては、給湯口アダプターの軸心方向に沿って浴槽に対して内側（図１の左側）を「前側」または「正面側」とし、浴槽に対して外側（図１の右側）を「後側」または「裏面側」として説明する。
【００４０】
さらに本実施形態においては、カバー部材９を除いた給湯口アダプター、つまり槽外取付部材１と、雄ねじ部材２と、流路仕切部材３とによって、アダプター本体が構成されている。
【００４１】
図１，２に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の周壁後端に側方に突出するように設けられる管状の第１および第２外管接続部１ａ，１ｂとを一体に有している。
【００４２】
内筒部１１の内部空間は、後述の内側流路Ａの一部として構成されるとともに、内筒部１１および外筒部１２間の環状空間は、後述の外側流路Ｂの一部として構成されている。上記第１外管接続部１ａが内側流路Ａに連通されるとともに、第２外管接続部１ｂが外側流路Ｂに連通されている。
【００４３】
外筒部１２の前部内周面には、雄ねじ部材２に組み付けるための雌ねじが刻設されている。
【００４４】
槽外取付部材１のフランジ部１５の外周縁部には、そのフランジ部１５と浴槽外壁面との間の水密を図るための合成樹脂製のパッキン８２が取り付けられている。
【００４５】
図１．２に示すように雄ねじ部材２は、前後両端が開放された円筒形状の胴部２１と、その胴部２１の前端外周に設けられた平板リング状のフランジ部２５とを一体に有する鍔付き円筒形状の成形品をもって構成されている。
【００４６】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００４７】
そして、槽外取付部材１のフランジ部１５が、浴槽の外壁面における取付孔Ｈの周縁部に沿うように配置された状態で、雄ねじ部材２のフランジ部２５が、合成ゴム製のリング状パッキン８３を介して浴槽内壁面における取付孔Ｈの周縁部に圧接されるようにして、雄ねじ部材２の胴部２１が取付孔Ｈを通じて、槽外取付部材１の外筒部１２にねじ込まれて固定される。これにより両部材１，２のフランジ部１５，２５によって、浴槽側壁Ｗにおける取付孔周縁部が挟持されて、両部材１，２が浴槽側壁Ｗに貫通状態に組み付けられる。
【００４８】
流路仕切部材３は、軸心方向（前後方向）に延びる細長い円筒形状の円筒部３１と、その円筒部３１の前端部に設けられた円盤状の槽内突出部４とを有している。
【００４９】
槽内突出部４は、内部に複数の流路が設けられる中空構造を有しており、略円板状の後壁４１と、後壁４１における前面側の外周を囲うようにして一体に形成された外周壁４２と、外周壁４２の前面側開口の一部を閉塞する前部閉塞板５とを備えている。
【００５０】
なお本実施形態においては、槽内突出部４における外周壁４２の外周面によって、外周側面が構成されている。
【００５１】
図１に示すように、円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の胴部２１の内部に配置されるものであり、円筒部３１および胴部２１間の環状空間と、それに連通する槽外取付部材１における内筒部１１および外筒部１２間の環状空間とによって、外側流路Ｂが形成される。
【００５２】
図３〜５，９に示すように、槽内突出部４の後壁４１には、円筒部３１に対応して、第１連通孔４１ａが形成されるとともに、円筒部３１の側方に対応して、第２連通孔４１ｂが形成されている。さらに外周壁４２の下部両側には、第１および第２開口４２ａ，４２ｂが形成されている。
【００５３】
槽内突出部４における後壁４１の前面側には、複数の仕切壁４３が形成されており、この仕切壁４３によって、槽内突出部４内に、各自独立する第１および第２流路４３ａ，４３ｂが形成されている。
【００５４】
第１流路４３ａは、第１連通孔４１ａから第１開口４２ａにかけて形成されており、第１連通孔４１ａを介して槽内突出部４の後方における円筒部３１の内側（内側流路Ａ）に連通されるとともに、第１開口４２ａを介して槽内突出部４の外側に開放されている。
【００５５】
第２流路４３ｂは、第２連通孔４１ｂから第２開口４２ｂにかけて形成されており、第２連通孔４１ｂを介して槽内突出部４の後方における円筒部３１の外側（外側流路Ｂ）に連通されるとともに、第２開口４２ｂを介して槽内突出部４の外側に開放されている。
【００５６】
なお図５，９に示すように、槽内突出部４内における上側中間位置には、ロックピン挿入孔４９が設けられており、後述するように流路仕切部材３を雄ねじ部材２に取り付けた際に、このロックピン挿入孔４９に挿入されるロックピン（図示省略）によって、雄ねじ部材２に対して流路仕切部材３の回り止めが図られるようになっている。
【００５７】
図３〜５，９に示すように、槽内突出部４の前面側開口における第１および第２流路４３ａ，４３ｂに対応する部分には、前部閉塞板５が着脱自在に取り付けられている。
【００５８】
ここで、本実施形態においては、槽内突出部４における第１および第２開口４２ａ，４２ｂのうちいずれか一方が吐出口として機能するとともに、残り一方が吸引口として機能するものである。
【００５９】
以上の構成の流路仕切部材３は、浴槽側壁Ｗに組み付けられた雄ねじ部材２に、周知の取付手段によって着脱自在に組み付けられる。このとき、流路仕切部材３における円筒部３１が、雄ねじ部材２の内部に配置される槽外取付部材１の内筒部１１に挿入される。
【００６０】
この状態では、図１に示すように、槽外取付部材１の内筒部１１と流路仕切部材３の円筒部３１との間にＯリング８１が配置され、そのＯリング８１によって、両部材１１，３１間の水密が図られるとともに、流路仕切部材３の槽内突出部４の後面に設けられたパッキン８４によって、流路仕切部材３の槽内突出部４と、雄ねじ部材２のフランジ部２５との間の水密が図られるようになっている。
【００６１】
図２〜７に示すように、流路仕切部材３の槽内突出部４に取り付けられるカバー部材９は、槽内突出部４の外周に沿って配置されるリング状の外周部材９１と、外周部材９１および槽内突出部４の前面を覆うように設けられる前面板９５とを備えている。
【００６２】
外周部材９１における上側縁部と、下端部には、周囲が囲まれたＬＥＤ室４５，４５がそれぞれ形成されている。各ＬＥＤ室４５内には、発光手段（照明器）としての発光ダイオード（ＬＥＤ）４６が槽内突出部４の外周縁部に沿って複数並べてそれぞれ取り付けられている。
【００６３】
外周部材９１における槽内突出部４の第１および第２開口４２ａ，４２ｂに対応する位置には、外周部材９１の内周側から外周側にかけて貫通する態様に、第１および第２発電室７ａ，７ｂが形成されている。
【００６４】
第１および第２発電室７ａ，７ｂにおける内周端部の開口が第１および第２内側開口７６ａ，７６ｂとしてそれぞれ構成されている。そしてその各内側開口７６ａ，７６ｂと、槽内突出部４の第１および第２開口４２ａ，４２ｂとを介して、第１および第２発電室７ａ，７ｂが槽内突出部４の第１および第２流路４３ａ，４３ｂにそれぞれ連通されるようになっている。
【００６５】
さらに第１および第２発電室７ａ，７ｂにおける外周端部の開口部が第１および第２外側開口７７ａ，７７ｂとして構成されている。そしてその第１および第２外側開口７７ａ，７７ｂを介して、第１および第２発電室７ａ，７ｂが外部（浴槽内）に開放されている。
【００６６】
ここで、本実施形態においては、第１および第２発電室７ａ，７ｂのうちいずれか一方が、吐出流路として機能するとともに、残り一方が、吸引流路として機能するものである。
【００６７】
前面板９５は、外周部材９１の前面側全域を閉塞するようにして、外周部材９１に着脱自在に取り付けられている。
【００６８】
前面板９５におけるＬＥＤ室４５に対応する部分は、合成樹脂製の透明窓９６によって構成されている。従ってＬＥＤ４６が点灯した際には、その照明光が透明窓９６を介して前方に照射されるようになっている。
【００６９】
本実施形態において、カバー部材９は、後付けによって、流路仕切部材３の槽内突出部４に着脱自在に取り付けることができるようになっている。
【００７０】
図５〜８に示すように、カバー部材９における第１および第２発電室７ａ，７ｂ内には、その中央位置に支柱７１，７１がそれぞれ取り付けられている。各支柱７１，７１の両側には、圧電素子を含む帯板形状の揺動板７２，７２の一端部側（固定端部側）が固定されている。そして揺動板７２，７２の他端部側（揺動端部側）が、各発電室７ａ，７ｂの両側端部に配置されている。揺動板７２は、弾力性ないしは可撓性を有し、支柱７１の部分を支点にして、他端部側（揺動端部側）が揺動できるようになっている。
【００７１】
なお本第１実施形態においては、揺動板７２が、圧電素子を含む圧電素子板（圧電素子フィルム）として構成されている。
【００７２】
さらに揺動板７２を支持する支柱７１には、その内部に銅線等のリード線が組み込まれており、後述するように揺動板７２の圧電素子によって発生した電力を、そのリード線を介して取り出せるようになっている。
【００７３】
発電室７ａ，７ｂにおける各揺動板７２の揺動端部に対応する位置には、水車７５，７５がその軸心回りに回転自在に取り付けられている。そして、水車７５，７５が回転した際には、水車７５，７５の各羽根が各揺動板７２の揺動端部に連続的に順次衝突するようになっている。
【００７４】
本第１実施形態においては、水車７５によって可動体が構成されている。
【００７５】
なお、この水車７５，７５は、軸心方向から流入するお湯によって回転するタイプのものとは異なり、半径方向ないし周方向から流入し、かつ半径方向ないし周方向へ流出するお湯によって回転するタイプのものである。さらにこの水車７５は、既述したように羽根によって揺動板７２を叩いて揺動させるものであり、発電機を直接駆動するような水車（タービン）とは異なるものである。
【００７６】
また発電室７ａ，７ｂの内周側には、換言すると発電室７ａ，７ｂにおける揺動板７２よりも内側開口７６ａ，７６ｂ寄りの位置には、正面視山型の水流制御板７３，７３が取り付けられている。この水流制御板７３，７３における中央の頂部は、第１および第２内側開口７６ａ，７６ｂの中央位置に対向して配置されている。従って、内側開口７６ａ，７６ｂから発電室７ａ，７ｂに流入されるお湯は、水流制御板７３，７３によって発電室７ａ，７ｂの両側に導かれて、水車７５，７５の位置に供給されるようになっている。
【００７７】
さらに発電室７ａ，７ｂの外周側には、換言すると発電室７ａ，７ｂにおける揺動板７２よりも外側開口７７ａ，７７ｂ寄りの位置には、正面視山型の水流制御板７４，７４が取り付けられている。この水流制御板７４，７４における中央の頂部は、第１および第２外側開口７７ａ，７７ｂに中央位置に対向して配置されている。従って、外側開口７７ａ，７７ｂから発電室７ａ，７ｂに流入されるお湯は、水流制御板７４，７４によって発電室７ａ，７ｂの両側に導かれて、水車７５，７５の位置に供給されるようになっている。
【００７８】
以上の構成の発電室７ａ，７ｂにおいて、例えば槽内突出部３側から第１および第２内側開口７６ａ，７６ｂを介してお湯が流入すると、そのお湯は、水流制御板７３によって両側の水車７５，７５へと導かれる。これにより、お湯が水車７５，７５の各羽根を押し込むように流通して、水車７５，７５が回転する。このとき、水車７５，７５各羽根が、揺動板７２の揺動端部に連続的に衝突して、揺動板７２の揺動端部が小刻みに素早く揺動（振動）することによって圧電素子が作動し、所定の電力が発生するようになっている。
【００７９】
逆に、第１および第２外側開口４７７ａ，７７ｂから発電室７ａ，７ｂ内にお湯が流入すると、そのお湯は、水流制御板７４によって両側の水車７５，７５へと導かれる。これにより、上記と同様に、水車７５，７５が回転し、揺動板７２が小刻みに振動して、電力が発生するようになっている。
【００８０】
なお図示は省略するが、カバー部材９には、ＬＥＤ４６の点灯（発光）を制御する制御回路が設けられている。さらに発電室７ａ，７ｂの揺動板７２の支柱（リード線）７１と、上記制御回路とは電気的に接続されている。これにより揺動板７２が揺動して電力が発生した際に、その電力によって、ＬＥＤ４６が点灯するようになっている。
【００８１】
以上の構成のカバー部材９は、浴槽側壁Ｗに組み付けられた上記アダプター本体における槽内突出部４に、その前面側および外周側を覆う態様に着脱自在に組み付けられる。
【００８２】
なおカバー部材９は、アダプター本体に対し後付けでも支障なく取り付けることができるようになっている。
【００８３】
こうして浴槽に組み付けられた給湯口アダプターにおいては、内側流路Ａが、流路仕切部材３の第１連通孔４１ａを通じて、流路仕切部材３の第１流路４３ａに連通され、第１流路４３ａが第１開口４２ａおよび第１内側開口６６ａを介して第１発電室７ａに連通され、さらに第１発電室７ａが第１外側開口７６ａを介して浴槽内に連通（開放）されている。また外側流路Ｂが、流路仕切部材３の第２連通孔４１ｂを通じて、流路仕切部材３の第２流路４３ｂに連通され、第２流路４３ｂが第２開口４２ｂおよび第２内側開口６６ａを介して第２発電室７ｂに連通され、さらに第２発電室７ｂが第２外側開口７６ｂを介して浴槽内に連通（開放）されている。
【００８４】
そして本第１実施形態においては、内側流路Ａ、第１流路４３ａおよび第１発電室７ａによって、往き流路および戻り流路のうち、いずれか一方の流路が構成されるとともに、外側流路Ｂ、第２流路４３ｂおよび第２発電室７ｂによって、残り一方の流路が構成される。
【００８５】
本実施形態の給湯口アダプターは、既述したように、室外給湯機と配管接続する際に、槽外取付部材１における２つの外管接続部１ａ，１ｂに対して、室外給湯機につながる往き管および戻り管のどちらを接続しても使用可能な無極性タイプのものである。
【００８６】
例えば第１外管接続部１ａに往き管、第２外管接続部１ｂに戻り管を接続した状態において、追い焚き処理を行った場合には、給湯機から供給されるお湯が往き管および第１外管接続部１ａを通って内側流路Ａに導入され、さらにそのお湯が内側流路Ａおよび流路仕切部材３の第１流路４３ａ、およびカバー部材９の第１発電室７ａを通って、第１外側開口７７ａから浴槽内に供給される。
【００８７】
吸込側では、給湯機の吸引力によって、戻り管および外側流路Ｂが負圧に設定されるため、流路仕切部材３の第２流路４３ｂおよびカバー部材９の第２発電室７ｂも負圧となる。従って、浴槽内のお湯（水）は、カバー部材９の第２外側開口７７ｂから第２発電室７ｂに吸い込まれ、流路仕切部材３の第２流路４３ｂ、外側流路Ｂおよび戻り管を通って給湯機に戻される。
【００８８】
従ってこのように配管接続された場合には、内側流路Ａおよび第１流路４３ａによって往き流路が構成され、外側流路Ｂおよび第２流路４３ｂよって戻り流路が構成される。またこの場合には、槽内突出部４においては、第１開口４２ａによって吐出口が構成されるとともに、第２開口４２ｂによって吸引口が構成される。さらにカバー部材９においては、第１発電室７ａによって吐出流路が構成されるとともに、第２発電室７ｂによって吸引流路が構成される。
【００８９】
そして追い焚き時においては、槽内突出部４に設けられたＬＥＤ４６が点灯するようになっている。すなわち往き流路側においては、カバー部材９の第１内側開口７６ａから第１発電室７ａに流入するお湯は、水流制御板７３によって発電室７ａの両側に導かれて、水車７５，７５を回転させる。この回転により、水車７５，７５の各羽根が、各揺動板７２の各揺動端部に連続的に順次衝突して、揺動板７２が小刻みに素早く振動する。この振動によって各揺動板７２の圧電素子が作動して電力が発生する。
【００９０】
また戻り流路側においては、カバー部材９の第２外側開口７７ｂから発電室７ｂに吸い込まれたお湯は、水流制御板７４によって発電室７ｂの両側に導かれて、水車７５，７５が回転して、上記と同様に、電力が発生する。
【００９１】
このように往き流路側および戻り流路側の双方の発電室７ａ，７ｂで発生した電力によって、ＬＥＤ４６が点灯する。さらにこうして点灯されたＬＥＤ４６の照明光が給湯口アダプターの前方に照射されて、浴槽内のお湯に光の演出効果を与えることができ、心地良い入浴環境を得ることができる。
【００９２】
一方、第２外管接続部１ｂに往き管、第１外管接続部１ａに戻り管を接続した状態で、追い焚き処理を行った場合には、上記とは逆回りに循環する。すなわち給湯機からのお湯が、往き管、第２外管接続部１ｂ、外側流路Ｂ、第２流路４３ｂおよび第２発電室７ｂを通って、第２外側開口７７ｂから浴槽内に供給されるとともに、浴槽内のお湯は、カバー部材９の第１外側開口７７ａから吸い込まれて、第１発電室７ａ、第１流路４３ａ、内側流路Ａ、第１外管接続部１ａおよび戻り管を通って給湯機に戻される。
【００９３】
従ってこのように配管接続された場合には、内側流路Ａ、第１流路４３ａおよび第１発電室７ａによって戻り流路が構成され、外側流路Ｂ、第２流路４３ｂおよび第２発電室７ｂによって往き流路が構成される。またこの場合には、流路仕切部材３において、第１開口４２ａによって吸引口が構成されるとともに、第２開口４２ｂによって吐出口が構成される。さらにカバー部材９において、第１発電室７ａによって吸引流路が構成されるとともに、第２発電室７ｂによって吐出流路が構成される。
【００９４】
さらにこのように配管接続された場合であっても、上記と同様に、発電室７ａ，７ｂで発電されてＬＥＤ４６が点灯する。
【００９５】
なお本実施形態の給湯口アダプターは、ダブル搬送方式によって湯はりを行うものである。すなわち湯はり時には、給湯機から往き管および戻り管の双方にお湯が供給され、そのお湯が、給湯口アダプターの内側および外側流路Ａ，Ｂ、第１および第２流路４３ａ，４３ｂ、第１および第２発電室７ａ，７ｂを通って、第１および第２外側開口７７ａ，７７ｂから浴槽内に供給される。
【００９６】
この湯はり時においても、上記と同様に、発電室７ａ，７ｂで発電されて、ＬＥＤ４６が点灯する。
【００９７】
以上のように、第１実施形態の給湯口アダプターによれば、追い焚き時等に自己発電によりＬＥＤ４６を点灯させて、浴槽内に光による所定の演出効果を与えることができる。
【００９８】
さらに本実施形態の給湯口アダプターは、圧電素子を用いて発電するようにしているため、つまり、圧電素子としての揺動板７２を、水車７５の羽根で叩いて揺動させて発電するようにしているため、発電部の構造を簡素に仕上げることができ、小型化を図ることができる。特に、本実施形態の給湯口アダプターは、タービン（水車）を回転させて発電するような複雑構造の発電機等を用いる場合と比較して、構造の簡素化および小型化をより確実に図ることができる。
【００９９】
また本実施形態においては、発電室７ａ，７ｂの上流側に流動制御板７３，７４を設けて、お湯が水車７５の位置を十分に流通するようにしているため、水車７５を勢い良く回転させることができる。従って揺動板７２を十分に振動させて、圧電素子を十分に作動させることができ、十分な発電量を確保できて、ＬＥＤ４６をより確実に点灯させることができる。
【０１００】
さらに流動制御板７３，７４は、揺動板７２の上流側および下流側の双方に配置されているため、揺動板７２が大きく屈曲しようとした際には、揺動板７２の揺動端部が流動制御板７３，７４に当接することにより、揺動板７２が大きく変形するのを防止することができる。このように流動制御板７３，７４によって揺動板７２の揺動（振動）範囲を制限することができる。このため例えば、揺動板７２が不用意に大きく変形して、変形前の元の状態に戻らなくなるような不具合を有効に防止することができる。
【０１０１】
また本実施形態においては、往き流路側および戻り流路側の双方に発電室７ａ，７ｂを設けているため、一方側のみに発電室を設ける場合と比較して、より多くの発電量を確保でき、ＬＥＤ４６をより一層確実に点灯させることができる。
【０１０２】
また本実施形態の給湯口アダプターにおいては、カバー部材９に発電室７ａ，７ｂやＬＥＤ４６等を設けて発電機能や照明機能を持たせるようにしているため、流路仕切部材３として従来より既存のものを用いることができる。従って、浴槽側壁Ｗ等に既に設置されている既存のアダプター本体（既存の流路仕切部材）に、カバー部材９を取り付けるだけで簡単に、本発明の構成を実現することができる。このように既存の給湯口アダプター（アダプター本体）を有効に利用することができる。
【０１０３】
＜第２実施形態＞
図１０，１１はこの発明の第２実施形態である浴槽用給湯口アダプターを示す図である。これらの図に示すように、本第２実施形態の給湯口アダプターは、カバー部材９が、上記第１実施形態の給湯口アダプターと相違する。
【０１０４】
すなわちこの第２実施形態の給湯口アダプターにおいて、カバー部材９には、上記第１実施形態と同様に、第１および第２発電室７ａ，７ｂが形成されている。
【０１０５】
図１２〜１５に示すように、第１および第２発電室７ａ，７ｂ内には、周方向に沿って配置される円弧状の支持部材８１，８１が取り付けられている。各支持部材８１，８１には、帯板形状の複数の揺動板８２…の中間部が固定されている。揺動板８２は、各支持部材８１に対しそれぞれ複数個ずつ、この実施形態では５つずつ設けられており、各揺動板８２は、お湯の流れ方向に沿うようにして配置されている。
【０１０６】
各揺動板８２は、弾力性ないし可撓性を有するもので、支持部材８１への取付位置（中央部）を支点として、両端部（揺動端部）が揺動できるようになっている。さらに各揺動板８２の揺動端部には、所定の質量を有する錘体（ウエイト）８３が取り付けられている。
【０１０７】
なお、本実施形態において、揺動板８２は、圧電素子を含む圧電素子板（圧電素子フィルム）を構成するものである。
【０１０８】
さらに揺動板８２を支持する支持部材８１には、その内部に銅線等のリード線が組み込まれており、後述するように揺動板８２の圧電素子によって発生した電力を、そのリード線を介して取り出せるようになっている。
【０１０９】
発電室７ａ，７ｂの底面における第１および第２内側開口７６ａ，７６ｂ側の位置には水流撹乱用突起８６，８６がそれぞれ設けられるとともに、第１および第２外側開口７７ａ，７７ｂ側の位置にも、水流撹乱用突起８６，８６がそれぞれ設けられている。各水流撹乱用突起８６は、発電室７ａ，７ｂの底面から前方（前面板９５側）に向けて突出するように形成されている。そして第１および第２内側開口７６ａ，７６ｂまたは第１および第２外側開口７７ａ，７７ｂから発電室７ａ，７ｂ内に流入するお湯は、水流撹乱用突起８６，８６によってかき乱されて乱流となり、第１および第２外側開口７７ａ，７７ｂまたは第１および第２内側開口７６ａ，７６ｂから流出するようになっている。
【０１１０】
また図１０，１１に示すように前面板９５の裏面側における発電室７ａ，７ｂに対応する位置には、各発電室７ａ，７ｂにそれぞれ２つずつ水流撹乱用突起９７，９７が形成されている。この水流撹乱用突起９７，９７は、発電室７ａ，７ｂの底面に設けられる上記水流撹乱用突起８６，８６と同様に、発電室７ａ，７ｂ内を流通するお湯を撹乱して、お湯の流れを乱流状態とするものである。
【０１１１】
なお図示は省略するが、カバー部材９には、上記第１実施形態と同様に、ＬＥＤ４６の点灯（発光）を制御する制御回路が設けられている。さらに発電室７ａ，７ｂの揺動板８２の支持部材（リード線）８１と、上記制御回路とは電気的に接続されている。これにより揺動板８２が揺動して電力が発生した際に、その電力によって、ＬＥＤ４６が点灯するようになっている。
【０１１２】
以上の構成のカバー部材９は、浴槽側壁Ｗに組み付けられた上記アダプター本体における槽内突出部４に、その前面側および外周側を覆う態様に着脱自在に組み付けられる。
【０１１３】
なおこの第２実施形態においても、上記第１実施形態と同様、カバー部材９は、アダプター本体に対し後付けでも支障なく取り付けることができるようになっている。
【０１１４】
本第２実施形態の給湯口アダプターにおいて、他の構成は、上記第１実施形態の給湯口アダプターと実質的に同様であるため、同一または相当部分に同一符号を付して、重複説明は省略する。
【０１１５】
本第２実施形態において、例えば内側流路Ａに通じる外管接続部１ａ（図１等参照）に往き管が接続され、外側流路Ｂ（図１等参照）に通じる外管接続部１ｂに戻り管が接続された場合には、内側流路Ａおよび第１流路４３ａによって往き流路が構成され、外側流路Ｂおよび第２流路４３ｂによって戻り流路が構成される。従って、給湯機からのお湯は、第１流路４３ａから第１発電室７ａ内に流入して、第１外側開口７７ａを介して浴槽内に供給される一方、浴槽内のお湯は、第２外側開口７７ｂから第２発電室７ｂ内に吸い込まれて、第２流路４３ｂに吸い込まれていく。
【０１１６】
この場合には、槽内突出部５において、第１開口４２ａによって吐出口が構成されるとともに、第２開口４２ｂによって吸引口が構成される。さらにカバー部材９において、第１発電室７ａによって吐出流路が構成されるとともに、第２発電室７ｂによって吸引流路が構成される。
【０１１７】
また内側流路Ａ側に戻り管、外側流路Ｂ側に往き管が接続された場合には、内側流路Ａおよび第１流路４３ａによって戻り流路が構成され、外側流路Ｂおよび第２流路４３ｂによって往き流路が構成される。従って、給湯機からのお湯は、第２流路４３ｂから第２発電室７ｂ内に流入して、第２外側開口７７ｂを介して浴槽内に供給される一方、浴槽内のお湯は、第１外側開口７７ａから第１発電室７ａ内に吸い込まれて、第１流路４３ａに吸い込まれていく。
【０１１８】
この場合には、槽内突出部５において、第１開口４２ａによって吸引口が構成されるとともに、第２開口４２ｂによって吐出口が構成される。さらにカバー部材９において、第１発電室７ａによって吸引流路が構成されるとともに、第２発電室７ｂによって吐出流路が構成される。
【０１１９】
そして追い焚き時においては、上記第１実施形態と同様に、ＬＥＤ４６が点灯するようになっている。すなわち各発電室７ａ，７ｂに流入するお湯に従って、各揺動板８２の各揺動端部が揺動（振動）する。これにより揺動板８２に含まれる圧電素子が作動して電力が発生する。特に本実施形態においては、各揺動板８２の各揺動端部に錘体８３が設けられているため、揺動する揺動板８２の慣性力や、水流に対する抵抗が大きくなる。このため揺動板８２は、お湯が流通している間、不用意に停止することなく連続的に揺動し、十分な電力が発生し、この電力によって、ＬＥＤ４６が点灯する。こうして点灯されたＬＥＤ４６の照明光が給湯口アダプターの前方に照射されて、浴槽内のお湯に光の演出効果を与えることができ、心地良い入浴環境を得ることができる。
【０１２０】
なおこの第２実施形態の給湯口アダプターにおいても、上記第１実施形態と同様、ダブル搬送方式によって湯はりを行うものであり、その湯はり時には、同様に、ＬＥＤ４６が点灯するようになっている。
【０１２１】
この第２実施形態の給湯口アダプターにおいては、自己発電によりＬＥＤ４６を点灯させて、浴槽内に光による所定の演出効果を与えることができる。
【０１２２】
さらに本実施形態の給湯口アダプターは、圧電素子を用いて発電するようにしているため、つまり、圧電素子としての揺動板８２を、発電室７ａ，７ｂ内を流通するお湯の水流によって揺動させて発電するようにしているため、発電部の構造を簡素に仕上げることができ、小型化を図ることができる。特に、本実施形態の給湯口アダプターは、タービン（水車）を回転させて発電するような複雑構造の発電機等を用いる場合と比較して、構造の簡素化および小型化をより確実に図ることができる。
【０１２３】
しかも、本実施形態においては、発電室７ａ，７ｂに水流撹乱用突起８６，９７を設けて、発電室７ａ，７ｂ内を流通するお湯を撹乱して乱流状態となるようにしているため、揺動板８２を勢い良く揺動（振動）させることができる。従って、圧電素子としての揺動板８２を十分に作動させることができ、十分な発電量を確保できて、ＬＥＤ４６をより確実に点灯させることができる。
【０１２４】
特に本実施形態においては、揺動板８２の揺動端部に錘体８３を取り付けているため、揺動する揺動板８２の慣性力や、水流に対する抵抗が大きくなる。従って、揺動板８２は、お湯が流通している間、不用意に停止することなく連続的に揺動し、十分な電力が供給されて、ＬＥＤ４６を安定した状態でより一層確実に点灯させることができる。
【０１２５】
さらに本実施形態においては、各発電室７ａ，７ｂに揺動板７２を複数配置しているため、発電室７ａ，７ｂの水流状況に応じて、各揺動板８２が個々に自由に揺動する。従って、各揺動板８３内の圧電素子を効率良く作動させることができ、十分な発電量をより一層確実に確保するとことができる。
【０１２６】
また本実施形態においては、往き流路側および戻り流路側の双方に発電室７ａ，７ｂを設けているため、一方側のみに発電室を設ける場合と比較して、より多くの発電量を確保でき、ＬＥＤ４６をより一層確実に点灯させることができる。
【０１２７】
＜変形例＞
上記実施形態においては、水流で回転する水車７５の羽根で圧電素子板としての揺動板７２を叩いたり（第１実施形態）、水流によって圧電素子板としての揺動板８２を揺動させる（第２実施形態）ことによって、電力が発生するようにしているが、それだけに限られず、本発明においては、流通するお湯の流水力（水圧）を利用して圧電素子を作動させるような発電方式であれば、どのような発電方式も採用することができる。
【０１２８】
例えば発電室内の内壁面を、圧電素子板によって構成するとともに、発電室内にゴム製ボール等の流動粒子を複数収容しておき、発電室内を流通するお湯によって、ボールを不規則に流動させて、そのボールを圧電素子板としての内壁面に衝突させることにより、圧電素子を作動させるようにしても良い。この場合、発電室の出入口（内側開口および外側開口）に、お湯の流通は許容しつつ、ボールの流出を防止するためのメッシュシート等を配置するのが良い。
【０１２９】
また上記実施形態においては、発電室７ａ，７ｂを、カバー部材９内に組み込むようにしているが、それだけに限られず、実施形態の発電室７ａ，７ｂを独立したケーシング内に組み込んで発電室ユニットを形成し、その発電室ユニットを、カバー部材９の内部に着脱自在に取り付けるようにしても良い。
【０１３０】
また上記実施形態においては、発電室で発生した電力によって、ＬＥＤを発光させるようにしているが、本発明において、発生した電力の使用用途は限定されるものではない。例えば発生した電力によって、銅イオンを発生させて殺菌作用を果たす銅イオン発生装置を駆動させたり、ＵＶランプを点灯させて殺菌作用を果たす紫外線照射装置等を駆動させるようにしても良い。
【０１３１】
また上記実施形態においては、圧電素子板としての揺動板７２，８２の形状を帯板形状に形成しているが、本発明において、揺動板の形状は、特に限定されるものではない。
【０１３２】
また上記実施形態においては、発光手段としてＬＥＤを用いるようにしているが、それだけに限られず、本発明においては、豆電球等の白熱電球、蛍光灯等の発光手段を用いるようにしても良い。
【０１３３】
さらに上記実施形態においては、発光手段を連続して点灯させるようにしているが、それだけに限られず、本発明においては、発光手段を点滅させたり、適当なタイミングで点灯と点滅とを交互に行うようにしても良いし、複数の発光手段をそれぞれ個別のタイミングで点灯させたり消灯させたりするようにしても良い。
【０１３４】
また上記第２実施形態においては、発電室７ａ，７ｂに設けられる水流撹乱用突起を幅方向（周方向）全域に形成するようにしているが、それだけに限られず、本発明においては、水流撹乱用突起を幅方向（周方向）の一部に形成するようにしても良いし、複数の水流撹乱用突起を幅方向に等間隔おきに形成したり、複数の水流撹乱用突起を千鳥状あるいはランダムに形成するようにしても良い。
【０１３５】
また上記実施形態においては、外管接続部１ａ，１ｂに、外部の往き管および戻り管のどちらを接続しても使用可能な無極性タイプの給湯口アダプターに、本発明を適用する場合を例に挙げて説明したが、それだけに限られず、本発明は、外部の往き管および戻り管の接続位置が特定されている有極性タイプの給湯口アダプターにも適用することができる。
【０１３６】
また上記実施形態においては、内部に、流動制御弁が設けられない弁無しタイプの給湯口アダプターに、本発明を適用した場合を例に挙げて説明したが、それだけに限られず、本発明は、内部に流動制御弁が設けられる弁付きタイプの給湯口アダプターにも適用することができる。
【産業上の利用可能性】
【０１３７】
この発明の浴槽用給湯口アダプターは、例えば一般家庭の浴槽に給湯用金具として利用することができる。
【符号の説明】
【０１３８】
４：槽内突出部
４３ａ，４３ｂ：開口（吐出口、吸引口）
４６：ＬＥＤ（発光手段）
７ａ，７ｂ：発電室（吐出流路、吸引流路）
７２：揺動板（圧電素子板）
７３，７４：水流制御板
７５：水車（可動体）
８２：揺動板（圧電素子板）
８３：錘体
８６：水流撹乱用突起
９：カバー部材
９１：外周部材
９５：前面板
９７：水流撹乱用突起
【図１】
0005801630.tif 000002
【図２】
0005801630.tif 000003
【図３】
0005801630.tif 000004
【図４】
0005801630.tif 000005
【図５】
0005801630.tif 000006
【図６】
0005801630.tif 000007
【図７】
0005801630.tif 000008
【図８】
0005801630.tif 000009
【図９】
0005801630.tif 000010
【図１０】
0005801630.tif 000011
【図１１】
0005801630.tif 000012
【図１２】
0005801630.tif 000013
【図１３】
0005801630.tif 000014
【図１４】
0005801630.tif 000015
【図１５】
0005801630.tif 000016